(57)【要約】【課題】路面を掘削することなく敷設が可能な害獣侵入防止装置を提供する。【解決手段】この害獣侵入防止装置１００は、害獣侵入防止領域５０、５０’の開口５４に害獣（動物）の足が入り込み移動の際の障害となる。これにより、害獣は害獣侵入防止装置１００を渡ることに対し警戒感を抱き、害獣侵入防止装置１００を忌避して横断を断念する。これにより、害獣侵入防止装置１００の内側への侵入を防止することができる。また、この害獣侵入防止装置１００は、アンカー等の固定部材を用いて路面に直接固定する。このため、路面を重機等で掘削する必要がなく敷設作業の簡素化と工事コストの削減とを図ることができる。【選択図】図１
2019135933.tif 000002
【特許請求の範囲】
【請求項１】
所定の高さの側壁で形成され上下が開口した害獣侵入防止領域を上面全体に有する侵入防止部と、
前記侵入防止部と接続し上面が外側に向けて斜め下方に傾斜し、さらに前記侵入防止部との接続側に前記害獣侵入防止領域を備えたスロープ部と、を有することを特徴とする害獣侵入防止装置。
【請求項２】
害獣侵入防止領域の下方に所定の間隔で並んだ脚部を有し、
前記脚部間の間隙によって前記害獣侵入防止領域の下側の開口が横方向に互いに連通することを特徴とする請求項１記載の害獣侵入防止装置。
【請求項３】
侵入防止部とスロープ部とが接続する接続面を双方に有し、
前記接続面の上辺は、害獣侵入防止領域の側壁間が下に凹んだアーチ状を呈することを特徴とする請求項１または請求項２に記載の害獣侵入防止装置。
【請求項４】
侵入防止部とスロープ部とがそれぞれ合成樹脂で一体的に成型されたことを特徴とする請求項１乃至請求項３のいずれかに記載の害獣侵入防止装置。
【発明の詳細な説明】
【技術分野】
【０００１】
本発明は、地面に敷設して鹿や猪等の害獣が侵入することを防止する害獣侵入防止装置に関するものである。
【背景技術】
【０００２】
近年、山林の疲弊や個体数の増加等の理由により、鹿や猪等の野生動物が山間部の農地等に侵入し農作物を食い荒らす食害が問題となっている。これら害獣が農地等に侵入することを防止する手法としては、侵入防止区域を柵やフェンス等の侵入防止柵で囲うことが一般的である。尚、侵入防止区域を侵入防止柵で囲う場合、人間や車両の出入りは侵入防止柵の一部に設置された開閉式ゲートにて行われる。しかしながら、侵入防止区域に林野作業道等の一般道部分からの進入経路が存在する場合、通行者の妨げとなるために開閉式ゲートを設置することができず、害獣に対する有効な侵入防止策を取ることができない。
【０００３】
この問題点に対して本願発明者らはハニカム状のグレーチング部材を地面に敷設して害獣の侵入を防止する下記［特許文献１］に記載の発明を行った。
【先行技術文献】
【特許文献】
【０００４】
【特許文献１】特開２０１３−２２３４８４号公報
【発明の概要】
【発明が解決しようとする課題】
【０００５】
上記の［特許文献１］に記載の発明により、道路上に開閉ゲートを設けることなく害獣の侵入を防止することが可能となった。しかしながら、［特許文献１］に記載の発明は道路を重機等を用いて掘削しＵ字溝部材を埋設する必要があり、更なる改善が望まれる。
【０００６】
本発明は上記事情に鑑みてなされたものであり、路面を掘削することなく人力でも敷設が可能な害獣侵入防止装置の提供を目的とする。
【課題を解決するための手段】
【０００７】
本発明は、
（１）所定の高さの側壁５２で形成され上下が開口（５４）した害獣侵入防止領域５０を上面全体に有する侵入防止部８０と、
前記侵入防止部８０と接続し上面が外側に向けて斜め下方に傾斜し、さらに前記侵入防止部８０との接続側に前記害獣侵入防止領域５０’を備えたスロープ部９０と、を有することを特徴とする害獣侵入防止装置１００を提供することにより、上記課題を解決する。
（２）害獣侵入防止領域５０、５０’の下方に所定の間隔で並んだ脚部５６を有し、
前記脚部５６間の間隙５６ａによって前記害獣侵入防止領域５０の下側の開口５４が横方向に互いに連通することを特徴とする上記（１）記載の害獣侵入防止装置１００を提供することにより、上記課題を解決する。
（３）侵入防止部８０とスロープ部９０とが接続する接続面（８６、９６）を双方に有し、
前記接続面８６、９６の上辺８６ａ、９６ａは、害獣侵入防止領域５０、５０’の側壁５２間が下に凹んだアーチ状を呈することを特徴とする上記（１）または（２）に記載の害獣侵入防止装置１００を提供することにより、上記課題を解決する。
（４）侵入防止部８０とスロープ部９０とがそれぞれ合成樹脂で一体的に成型されたことを特徴とする上記（１）乃至（３）のいずれかに記載の害獣侵入防止装置１００を提供することにより、上記課題を解決する。
【発明の効果】
【０００８】
本発明に係る害獣侵入防止装置は、アンカー等の固定部材を用いて路面に直接固定する。このため、路面を掘削する必要がなく敷設作業の簡素化と工事コストの削減とを図ることができる。
【図面の簡単な説明】
【０００９】
【図１】本発明に係る害獣侵入防止装置の平面図及び側面図である。
【図２】本発明を構成する侵入防止部の平面図、底面図、正面図である。
【図３】本発明を構成する侵入防止部の側面図及び断面図である。
【図４】本発明を構成する害獣侵入防止領域の他の例を示す図である。
【図５】本発明を構成するスロープ部の平面図、底面図、背面図、正面図である。
【図６】本発明を構成するスロープ部の左側面図及び断面図である。
【発明を実施するための形態】
【００１０】
本発明に係る害獣侵入防止装置の実施の形態について図面に基づいて説明する。ここで、図１（ａ）は本発明に係る害獣侵入防止装置１００の平面図であり、図１（ｂ）は側面図である。
【００１１】
図１に示す本発明に係る害獣侵入防止装置１００は、害獣侵入防止領域５０を上面全体に有する侵入防止部８０と、この侵入防止部８０と接続し上面が外側に向けて斜め下方に傾斜したスロープ部９０と、を有している。尚、本発明に係る害獣侵入防止装置１００は基本的に侵入防止部８０の前後（正面側及び背面側）にそれぞれスロープ部９０を１つずつ接続するが、侵入防止部８０の連結枚数に関しては特に制限はない。ただし、侵入防止部８０の横（左右）方向への連結枚数は基本的に敷設する路面等の道幅に準ずる。また、侵入防止部８０を前後方向に複数連結する場合には、連結した侵入防止部８０の最も外側の正面及び背面にスロープ部９０を設ける。
【００１２】
次に、害獣侵入防止装置１００を構成する侵入防止部８０に関して説明する。ここで、図２（ａ）は本発明を構成する侵入防止部８０の平面図であり、図２（ｂ）は底面図であり、図２（ｃ）は正面図である。また、図３（ａ）は侵入防止部８０の側面図であり、図３（ｂ）はＸ−Ｘ断面図であり、図３（ｃ）はＹ−Ｙ断面図である。尚、ここでは害獣侵入防止領域５０の開口５４の形状として上面視略正６角形のハニカム形状ものを例に説明を行うが、開口５４の形状はハニカムに限定されるものではなく、図４（ａ）に示すように円形としても良いし、図４（ｂ）に示すように三角形としても良い。また、図４（ｃ）、図４（ｄ）、図４（ｅ）に示すような四角形としても良い他、その他いかなる形状としても良い。さらに、異なる複数形状の開口５４を組み合わせても良い。これらのことは、後述のスロープ部９０の害獣侵入防止領域５０’の開口５４に関しても同様である。尚、侵入防止部８０の害獣侵入防止領域５０の開口５４とスロープ部９０の害獣侵入防止領域５０’の開口５４とは基本的に同一の形状、寸法のものを用いることが好ましい。
【００１３】
図２、図３に示す侵入防止部８０は、前述のように害獣侵入防止領域５０を上面全体に有している。この害獣侵入防止領域５０は図３（ａ）、（ｂ）、（ｃ）に示すように、底面に対して略垂直な所定の高さの側壁５２が組み合わさって形成され、その上下は開口している。尚、側壁５２の高さは例えば９０ｍｍ〜１５０ｍｍ程度である。また、侵入防止部８０の側面に位置する特定の側壁５２には、侵入防止部８０をビス、ナット等の連結部材を用いて横方向に連結するための連結孔８３を有している。
【００１４】
また、害獣侵入防止領域５０の下方には略角棒状の脚部５６が設けられている。この脚部５６は害獣侵入防止領域５０の横方向（左右方向）に伸び、所定の間隔をとって前後方向に並べて設置される。尚、脚部５６は下方の開口５４を極力塞がないような位置に設けることが好ましい。また、特定の脚部５６’には侵入防止部８０をアンカー等の固定部材を用いて路面に固定するための固定孔８５を有している。
【００１５】
そして、これら脚部５６の間の間隙５６ａによって害獣侵入防止領域５０の下側の開口５４は横方向にそれぞれ全て連通する。また、この間隙５６ａは侵入防止部８０の側面下にも存在するため、横方向に連結した複数の侵入防止部８０の下側の開口５４は間隙５６ａを介して横方向にそれぞれ全て連通する。そして、この間隙５６ａは開口５４内に落下した土砂やゴミ、落ち葉等を放水や雨水などによって左右方向に押し流し、側溝等に排出する機能を有する。
【００１６】
また、侵入防止部８０の正面及び背面にはスロープ部９０と接続する接続面８６を有している。そして、この接続面８６の上辺８６ａは、図２（ｃ）に示すように、害獣侵入防止領域５０の側壁５２の当接部位の間、即ち開口５４に相当する部位が下に凹んだアーチ状を呈し、上辺８６ａ全体として側壁５２の当接部位が凸の略水面波形状を呈する。また、接続面８６の所定の位置には侵入防止部８０とスロープ部９０とをビス、ナット等の連結部材を用いて連結するための連結孔８８を有している。
【００１７】
次に、害獣侵入防止装置１００を構成するスロープ部９０に関して説明する。ここで、図５（ａ）は本発明を構成するスロープ部９０の平面図であり、図５（ｂ）は底面図であり、図５（ｃ）は背面図であり、図５（ｄ）は正面図である。また、図６（ａ）はスロープ部９０の左側面図であり、図６（ｂ）はＸ−Ｘ断面図であり、図６（ｃ）はＹ−Ｙ断面図である。
【００１８】
本発明を構成するスロープ部９０は、侵入防止部８０との接続側に位置する害獣侵入防止領域５０’と、この害獣侵入防止領域５０’の外側に位置するベース部９２とを有している。そして、害獣侵入防止領域５０’とベース部９２の上面は侵入防止部８０の接続側が高く外側が低くなるよう傾斜して形成され、全体として外側に向けて斜め下方に傾斜する。
【００１９】
また、スロープ部９０の害獣侵入防止領域５０’と侵入防止部８０の害獣侵入防止領域５０とは前述のように基本的に同一の寸法形状で害獣侵入防止領域５０と同様に底面に対して略垂直に設けられた側壁５２によって構成され、上下が開口５４となっている。ただし、害獣侵入防止領域５０’の上面は侵入防止部８０の害獣侵入防止領域５０とは異なり、全体として斜め下方に傾斜しスロープ部９０の上面の接続側を構成する。また、スロープ部９０の側面に位置する特定の側壁５２には、スロープ部９０をビス、ナット等の連結部材を用いて横方向に連結するための連結孔９３を有している。
【００２０】
また、ベース部９２は上面が害獣侵入防止領域５０’と連続した傾斜面となっており、この傾斜面に滑止めパターン９４が設けられている。尚、この滑止めパターン９４は害獣侵入防止領域５０’の開口５４と略同一形状とすることが好ましい。この構成によれば、害獣に対し滑止めパターン９４を開口５４として誤認させる視覚的効果を付与することができる。また、ベース部９２の所定の部位にはスロープ部９０をアンカー等の固定部材を用いて路面に固定するための固定孔９５を有している。
【００２１】
また、スロープ部９０の害獣侵入防止領域５０’の下方には侵入防止部８０と同様に横方向に伸び、前後方向に所定の間隔をとって並んだ略角棒状の脚部５６を有している。そして、この脚部５６の間の間隙５６ａによって害獣侵入防止領域５０’の下側の開口５４は横方向にそれぞれ全て連通する。また、横方向に連結した複数のスロープ部９０の下側の開口５４を横方向にそれぞれ全て連通させる。そして、この間隙５６ａは害獣侵入防止領域５０’の開口５４内に落下した土砂やゴミ、落ち葉等を放水や雨水などによって左右方向に押し流し、側溝等に排出する機能を有する。
【００２２】
また、スロープ部９０の背面、即ち侵入防止部８０との接続側には接続面９６が設けられる。そして、この接続面９６の上辺９６ａは、侵入防止部８０と同様に害獣侵入防止領域５０’の側壁５２の当接部位の間、即ち開口５４に相当する部位が下に凹んだアーチ状を呈し、上辺９６ａ全体として側壁５２の当接部位が凸の略水面波形状を呈する。また、接続面９６の侵入防止部８０側の連結孔８８と対応した位置には、スロープ部９０と侵入防止部８０とをビス、ナット等の連結部材を用いて連結するための連結孔９８を有している。
【００２３】
尚、侵入防止部８０及びスロープ部９０は、硬化後にある程度の剛性を有する周知の合成樹脂を用い、型枠等で一体的に成型して製造することが好ましい。この合成樹脂としては、例えば車両の外装品や土木・建築材料としても使用されるオレフィン系架橋タイプの熱硬化性樹脂を用いることが好ましい。
【００２４】
次に、害獣侵入防止装置１００の敷設方法を説明する。先ず、路面の目的の領域に侵入防止部８０を配列する。この際、路面を横切る方向を侵入防止部８０の左右方向とし、路面の進行方向を侵入防止部８０の前後方向とする。また、配列した侵入防止部８０の最も外側に位置する前後の接続面８６にスロープ部９０の接続面９６がそれぞれ当接するようにスロープ部９０を配置する。
【００２５】
次に、横方向に隣り合う侵入防止部８０及びスロープ部９０の連結孔８３、９３にビス、ナット等の連結部材を通し互いに連結する。次に、侵入防止部８０とスロープ部９０の接続面８６、９６に設けられた連結孔８８、９８にビス、ナット等の連結部材を通し互いに連結する。また、侵入防止部８０が前後方向に複数配列される場合には、前後方向に隣り合う接続面８６の連結孔８８にビス、ナット等の連結部材を通し互いに連結する。これにより路面上に害獣侵入防止装置１００が構築される。尚、接続面８６、９６の上辺８６ａ、９６ａは害獣侵入防止領域５０の開口５４に相当する部位が下に凹んだアーチ状を呈しているため、これらを連結した接続部も上辺８６ａ、９６ａと同様の形状を呈する。次に、アンカー等の固定部材を固定孔８５、９５を通して路面に打ち込み害獣侵入防止装置１００を路面に固定する。これにより、害獣侵入防止装置１００の路面への敷設が完了する。尚、上記の敷設方法の順序には特に限定はなく、順番を入れ替えて行っても良いし、並行して行っても良い。
【００２６】
次に、害獣侵入防止装置１００の機能を説明する。先ず、車両や人間は害獣侵入防止装置１００のスロープ部９０を登り、侵入防止部８０を通過して逆側のスロープ部９０から特に障害なく降りることができる。しかしながら、害獣（動物）は害獣侵入防止領域５０、５０’の開口５４に足が入り込み移動の際の障害となる。また、害獣侵入防止装置１００は接続面８６、９６の上辺８６ａ、９６ａが略水面波形状を呈しているため、接続部も足場とはならず、害獣の移動の際の障害となる。これにより、害獣は害獣侵入防止装置１００を渡ることに対し警戒感を抱き、害獣侵入防止装置１００を忌避して横断を断念する。これにより、害獣侵入防止装置１００の内側への侵入を防止することができる。
【００２７】
以上のように、本発明に係る害獣侵入防止装置１００は、路面を重機等で掘削することなく人力でも敷設が可能である。これにより、敷設作業の簡素化と工事コストの削減とを図ることができる。また、害獣侵入防止領域５０、５０’の開口５４内に落下した土砂やゴミ、落ち葉等の異物を放水や雨水等の流下により脚部５６間に形成される間隙５６ａを通して害獣侵入防止装置１００の側方に排出することができる。これにより、開口５４内の掃除が容易となり害獣侵入防止装置１００に関するメンテナンス作業の負荷を軽減することができる。
【００２８】
尚、本例で示した害獣侵入防止装置１００は一例であり、害獣侵入防止装置１００、侵入防止部８０、スロープ部９０、害獣侵入防止領域５０、５０’、その他の各部の寸法、角度、形状、デザイン等は、本発明の要旨を逸脱しない範囲で変更して実施することが可能である。
【符号の説明】
【００２９】
５０、５０’  害獣侵入防止領域
５２    側壁
５４    開口
５６    脚部
５６ａ  間隙
８０    侵入防止部
９０    スロープ部
８６、９６  接続面
８６ａ、９６ａ  上辺
１００  害獣侵入防止装置
【図１】
2019135933.tif 000003
【図２】
2019135933.tif 000004
【図３】
2019135933.tif 000005
【図４】
2019135933.tif 000006
【図５】
2019135933.tif 000007
【図６】
2019135933.tif 000008